(57)【要約】【課題】流通抵抗が小さい換気装置を提供する。【解決手段】換気装置（10）は、室外空気の吸込口（21）と室内空気の吸込口（22）と空気の吹出口（23）とが形成されたケーシング（20）と、ケーシング（20）に収納された送風ファン（30）とを備えている。換気装置（10）は、送風ファン（30）によって室外空気及び室内空気を各吸込口（21，22）からケーシング（20）内に吸い込み、吸込空気を処理して処理空気を吹出口（23）から室内に供給する。ケーシング（20）内には、吸込空気中の塵埃を除去する電気式の集塵ユニット（40）が設けられている。更に、ケーシング（20）内には、吸込空気中の臭気物質を除去する低流通抵抗の脱臭ユニット（50）が設けられている。【選択図】図１
2010007871.tif 000002
【特許請求の範囲】
【請求項１】
室外空気の吸込口（21）と室内空気の吸込口（22）と空気の吹出口（23）とが形成されたケーシング（20）と、該ケーシング（20）に収納された送風ファン（30）とを備え、該送風ファン（30）によって上記室外空気及び室内空気を各吸込口（21，22）からケーシング（20）内に吸い込み、吸込空気を処理して処理空気を吹出口（23）から室内に供給する換気装置であって、
上記ケーシング（20）内に設けられ、吸込空気中の塵埃を除去する電気式の集塵手段（40）と、
上記ケーシング（20）内に設けられ、吸込空気中の臭気物質を除去する低流通抵抗の脱臭手段（50）とを備えている
ことを特徴とする換気装置。
【請求項２】
請求項１において、
上記集塵手段（40）は、両吸込口（21，22）から吹出口（23）に向かうケーシング（20）内の空気流れに沿った方向に延びる空気通路（66，76）が形成されている
ことを特徴とする換気装置。
【請求項３】
請求項１又は２において、
上記脱臭手段（50）は、両吸込口（21，22）から吹出口（23）に向かうケーシング（20）内の空気流れに沿った方向に延びる空気通路（56）が形成されている
ことを特徴とする換気装置。
【請求項４】
請求項２において、
上記集塵手段（40）は、荷電部（42）と、該荷電部（42）で帯電した塵埃を捕集する集塵部（43）とを備え、
上記集塵部（43）は、空気流れに沿った多数の空気通路（66，76）を有する格子状の基台（61，71）と、該基台（61，71）から空気通路（66，76）の軸方向と平行に延びる多数の突起（62，72）とを備えた第１電極（60）及び第２電極（70）を備え、該第１電極（60）の突起（62）が第２電極（70）の空気通路（76）の内部に延び、上記第２電極（70）の突起（72）が第１電極（60）の空気通路（66）の内部に延びている
ことを特徴とする換気装置。
【請求項５】
請求項３において、
上記脱臭手段（50）は、吸込空気中にプラズマを発生させる放電部（51）と、該放電部（51）の下流側に配置されて吸込空気中の臭気物質の分解を促進する触媒フィルタ（52）とを備え、
上記触媒フィルタ（52）は、空気流れに沿った多数の空気通路（56）が形成されている
ことを特徴とする換気装置。
【請求項６】
請求項１において、
上記ケーシング（20）は、室内に設置されている
ことを特徴とする換気装置。
【発明の詳細な説明】
【技術分野】
【０００１】
本発明は、換気装置に関し、特に、流通空気の低圧力損失対策に係るものである。
【背景技術】
【０００２】
従来、換気装置には、特許文献１に開示されているように、屋外に設置されるものがある。この換気装置は、集合住宅のバルコニーの天井部分に設置され、外気処理部と室内空気処理部とを備えている。上記外気処理部は、ケーシング内に集塵手段と脱臭手段と送風ファンとが収納されて構成されている。
【０００３】
そして、上記換気装置は、室内空気処理部で室内空気を取り出す一方、この室内空気処理部が取り出した室内空気と室外空気とを外気処理部が取り込む。該外気処理部は、取り込み空気を集塵手段で集塵した後、脱臭手段によって脱臭し、室内に供給する。
【特許文献１】特許第３９０８１７９号公報
【発明の開示】
【発明が解決しようとする課題】
【０００４】
しかしながら、従来の換気装置においては、脱臭手段に小粒ビーズの光触媒体を用いているので、空気の流通抵抗が大きく、圧力損失が大きいという問題があった。この結果、大容量の送風ファンを用いる必要があり、装置全体が大型化するという問題があった。
【０００５】
本発明は、斯かる点に鑑みてなされたものであり、流通抵抗が小さい換気装置を提供することを目的とする。
【課題を解決するための手段】
【０００６】
第１の発明は、室外空気の吸込口（21）と室内空気の吸込口（22）と空気の吹出口（23）とが形成されたケーシング（20）と、該ケーシング（20）に収納された送風ファン（30）とを備え、該送風ファン（30）によって上記室外空気及び室内空気を各吸込口（21，22）からケーシング（20）内に吸い込み、吸込空気を処理して処理空気を吹出口（23）から室内に供給する換気装置を対象としている。そして、上記ケーシング（20）内には、吸込空気中の塵埃を除去する電気式の集塵手段（40）が設けられている。更に、上記ケーシング（20）内には、吸込空気中の臭気物質を除去する低流通抵抗の脱臭手段（50）が設けられている。
【０００７】
上記第１の発明では、送風ファン（30）を駆動すると、室外空気及び室内空気が各吸込口（21，22）からケーシング（20）内に吸い込まれる。そして、上記ケーシング（20）内において、電気式の集塵手段（40）は吸込空気中の塵埃を除去する。更に、低流通抵抗の脱臭手段（50）は吸込空気中の臭気物質を除去する。上記集塵手段（40）及び脱臭手段（50）によって処理された処理空気は吹出口（23）から室内に供給される。
【０００８】
第２の発明は、上記第１の発明において、上記集塵手段（40）は、両吸込口（21，22）から吹出口（23）に向かうケーシング（20）内の空気流れに沿った方向に延びる空気通路（66，76）が形成されたものである。
【０００９】
上記第２の発明では、集塵手段（40）の空気通路が空気流れに沿った方向に延びているので、空気の流通抵抗が小さく、低圧力損失となる。
【００１０】
第３の発明は、上記第１又は第２の発明において、上記脱臭手段（50）は、両吸込口（21，22）から吹出口（23）に向かうケーシング（20）内の空気流れに沿った方向に延びる空気通路（56）が形成されたものである。
【００１１】
上記第３の発明では、脱臭手段（50）の空気通路（56）が空気流れに沿った方向に延びているので、空気の流通抵抗が小さく、低圧力損失となる。
【００１２】
第４の発明は、上記第２発明において、上記集塵手段（40）は、荷電部（42）と、該荷電部（42）で帯電した塵埃を捕集する集塵部（43）とを備えたものである。そして、上記集塵部（43）は、空気流れに沿った多数の空気通路（66，76）を有する格子状の基台（61，71）と、該基台（61，71）から空気通路（66，76）の軸方向と平行に延びる多数の突起（62，72）とを備えた第１電極（60）及び第２電極（70）を備え、該第１電極（60）の突起（62）が第２電極（70）の空気通路（76）の内部に延び、上記第２電極（70）の突起（72）が第１電極（60）の空気通路（66）の内部に延びている。
【００１３】
上記第４の発明では、荷電部（42）で帯電した塵埃が例えば第１電極（60）に吸着して捕集されることになる。特に、集塵部（43）は、空気流れに沿った多数の空気通路（66，76）を有する構造であるので、空気の流通抵抗が小さく、低圧力損失となる。
【００１４】
第５の発明は、上記第３の発明において、上記脱臭手段（50）は、吸込空気中にプラズマを発生させる放電部（51）と、該放電部（51）の下流側に配置されて吸込空気中の臭気物質の分解を促進する触媒フィルタ（52）とを備えたものである。そして、上記触媒フィルタ（52）は、空気流れに沿った多数の空気通路（56）が形成されている。
【００１５】
上記第５の発明では、放電部（51）が発生するプラズマが反応性の高い物質（電子、イオン、オゾン、ラジカルなどの活性種）が含まれているので、反応性の高い物質によって吸込空気中の臭気物質が除去される。その後、上記吸込空気は、触媒フィルタ（52）に達すると、反応性の高い物質がさらに活性化して吸込空気中の臭気物質を分解して除去する。特に、触媒フィルタ（52）は、空気流れに沿った多数の空気通路（56）を有する構造であるので、空気の流通抵抗が小さく、低圧力損失となる。
【００１６】
第６の発明は、上記第１〜第５の発明の何れか１において、上記ケーシング（20）は、室内に設置されたものである。
【００１７】
上記第６の発明では、ケーシング（20）が室内に設置されているので、室内で集塵及び脱臭が行われる。
【発明の効果】
【００１８】
上記本発明によれば、ケーシング（20）内に電気式の集塵手段（40）と低流通抵抗の脱臭手段（50）とを設けるようにしたために、空気の流通抵抗が小さいので、圧力損失を大幅に低減することができる。この結果、小容量の送風ファン（30）を用いることができ、装置全体の小型化を図ることができる。
【００１９】
また、第２の発明によれば、集塵手段（40）は電気式で構成され、吸込口（21，22）から空気吹出口（23）に向かうケーシング（20）内の空気流れに沿った空気通路（66，76）で構成される。この結果、上記装置全体の空気の流通抵抗を小さくすることができるので、圧力損失を低減することができる。
【００２０】
また、第３の発明によれば、脱臭手段（50）が吸込口（21，22）から空気吹出口（23）に向かうケーシング（20）内の空気流れに沿った空気通路（56）で構成される。この結果、上記装置全体の空気の流通抵抗を小さくすることができるので、圧力損失を低減することができる。
【００２１】
また、第４の発明によれば、上記集塵部（43）は、格子構造に構成されているので、塵埃の捕集面積を拡大しつつ吸込口（21，22）から空気吹出口（23）に向かうケーシング（20）内の空気流れに沿った空気通路で構成することができる。この結果、上記装置全体の空気の流通抵抗を小さくすることができるので、圧力損失を低減することができる。
【００２２】
また、第５の発明によれば、上記脱臭手段（50）の放電部（51）が２つの電極で構成されると共に、上記脱臭手段（50）の触媒フィルタ（52）はモノリス構造等に構成されているので、吸込口（21，22）から空気吹出口（23）に向かうケーシング（20）内の空気流れに沿った空気通路（56）で構成される。この結果、上記脱臭手段（50）は空気の流通抵抗を小さくすることができる。したがって、上記脱臭手段（50）の全体が低圧力損失の構成となり、装置全体が小型化を図ることができる。
【００２３】
また、上記ケーシング（20）を室内に設置し、所謂天井据置型に構成すると、室外空気等を取り入れるダクト及び処理空気を室内に供給するためのダクトを接続する必要があり、ダクトによる空気の流通抵抗が大きくなる。第６の発明によれば、ケーシング（20）内の空気の流通抵抗を小さくすることによって、ダクトを含めたシステム全体の圧力損失を低減することができる。
【発明を実施するための最良の形態】
【００２４】
以下、本発明の実施形態を図面に基づいて詳細に説明する。
【００２５】
〈発明の実施形態１〉
図１〜図９に示すように、本実施形態１の換気装置（10）は、室内に設置されるものである。
【００２６】
上記換気装置（10）は、図１及び図２に示すように、ケーシング（20）と送風ファン（30）と集塵ユニット（40）と脱臭ユニット（50）とを備えている。
【００２７】
上記ケーシング（20）は、矩形状の上面板及び底面板と、幅方向に延びる前後の両側板と、長手方向に延びる左右の両側板とを有する扁平な矩形体に形成されている。そして、上記ケーシング（20）は、建物の天井（11）の背面（上面）に設置されている。
【００２８】
上記ケーシング（20）における前部の側板には、室外空気を吸い込む吸込口（21）と室内空気を吸い込む吸込口（22）とが左右に列んで形成される一方、後部の側板における中央部の上部には、空気の吹出口（23）が形成されている。
【００２９】
上記室外空気の吸込口（21）には、ダクト（12）の一端が接続され、該ダクト（12）は、建物の壁体（13）を貫通し、他端が室外に延長されて端部にはグリル等の吸込ユニット（14）が壁体（13）に取り付けられている。上記室内空気の吸込口（22）には、ダクト（15）の一端が接続され、該ダクト（15）は、下方に折れ曲がり、他端が天井（11）にまで延長されて端部にはグリル等の吸込ユニット（16）が天井（11）に取り付けられている。上記空気吹出口（23）には、ダクト（17）の一端が接続され、該ダクト（17）は、下方に折れ曲がり、他端が天井（11）にまで延長されて端部にはディフューザ等の吹出ユニット（18）が天井（11）に取り付けられている。
【００３０】
上記ケーシング（20）の内部は、両吸込口（21，22）から吹出口（23）に向かって空気が流れる流通路（24）に構成されている。そして、上記ケーシング（20）の内部の流通路（24）には、上記吸込口（21，22）の前部から吹出口（23）の後部に向かってチャンバ（25）と集塵ユニット（40）と脱臭ユニット（50）と送風ファン（30）とが空気の流れに沿って配置されている。
【００３１】
上記チャンバ（25）は、前部の側板の内側に位置して形成されている。該チャンバ（25）は、室外空気の吸込口（21）から取り込まれた室外空気と、室内空気の吸込口（22）から取り込まれた室内空気とを混合して集合するように構成されている。
【００３２】
上記送風ファン（30）は、ファンユニットを構成し、ケーシング（20）の内部における後部で且つ上部に設けられている。該送風ファン（30）は、図示しないが、１台又は複数台で構成されている。
【００３３】
上記集塵ユニット（40）は、チャンバ（25）の下流側に該チャンバ（25）に隣接して設置されている。該集塵ユニット（40）は、図３に示すように、プレフィルタ（41）と荷電部（42）と集塵部（43）とが空気の上流側から下流側に向かって順に配置され、電気式の集塵手段を構成している。
【００３４】
上記プレフィルタ（41）は、チャンバ（25）に取り込まれた室外空気及び室内空気の混合空気である吸込空気に含まれる比較的大きな塵埃を捕集するためのフィルタを構成している。
【００３５】
上記荷電部（42）は、イオン化部を構成し、上記プレフィルタ（41）を通過した比較的小さな塵埃を帯電させるものである。上記荷電部（42）は、図４及び図５に示すように、複数の放電電極（44）と、複数の対向電極（45）から構成され、該放電電極（44）と対向電極（45）との間に直流電圧が印加され、吸込空気中の塵埃を帯電させるように構成されている。
【００３６】
上記放電電極（44）は、イオン化線で構成され、荷電部（42）の左右両端に亘って設けられ、上下方向に複数本平行に配置されている。上記対向電極（45）は、荷電部（42）の左右両端に亘って設けられ、上下方向に複数本平行に配置されている。そして、上記放電電極（44）は、対向電極（45）の間に配置されている。したがって、上記荷電部（42）における放電電極（44）と対向電極（45）との間は、上記吸込口（21，22）から吹出口（23）に向かうケーシング（20）内の空気流れに沿った方向に延びる空気通路に構成されている。つまり、上記放電電極（44）と対向電極（45）との間は、ケーシング（20）内の流通路（24）と平行な空気通路となり、空気の流通抵抗が小さい構造になっている。
【００３７】
上記集塵部（43）は、上記荷電部（42）で帯電した塵埃を吸着して捕集するものであり、図６〜図８に示すように、アース電極である集塵電極（60）と陽電極である高圧電極（70）とを備えている。該集塵電極（60）と高圧電極（70）とは、何れか一方が第１電極を構成し、他方が第２電極を構成している。
【００３８】
上記集塵電極（60）と高圧電極（70）とは、何れも導電性樹脂によって構成され、一体成型によってそれぞれ一体もので構成されている。上記集塵電極（60）と高圧電極（70）とは基本的にほぼ同一の形状に形成され、一部が相互に挿入自在な差し込み構造に構成されている。
【００３９】
上記集塵電極（60）と高圧電極（70）とは何れも微導電性樹脂が好ましく、更に、樹脂の体積抵抗率が１０８Ωcm以上で１０１３Ωcm未満であることが好ましい。
【００４０】
上記集塵電極（60）と高圧電極（70）とは、矩形状に形成され、１つの基台（61，71）と、該基台（61，71）から突出する多数の突起（62，72）とを備えている。そして、上記基台（61，71）は、枠体（63，73）と、該枠体（63，73）の内部に設けられた複数の縦仕切部材（64，74）及び複数の横仕切部材（65，75）とを備えている。
【００４１】
上記枠体（63，73）は、矩形状に形成されている。上記集塵電極（60）の枠体（63）と高圧電極（70）の枠体（73）とは、四隅の隅角部において互いに固定され、上記集塵電極（60）の基台（61）と高圧電極（70）の基台（71）とが相対向して配置されている。また、上記集塵電極（60）と高圧電極（70）の基台（61，71）は、流通路（24）において、空気流れと直交する方向に配置されている。
【００４２】
上記集塵電極（60）及び高圧電極（70）の縦仕切部材（64，74）は、上下方向に延び、横仕切部材（65，75）は、幅方向に延び、該縦仕切部材（64，74）と横仕切部材（65，75）とが縦横に交叉するように配列されている。そして、上記基台（61，71）には、枠体（63，73）と縦仕切部材（64，74）と横仕切部材（65，75）とによって囲まれる多数の空気通路（66，76）が形成されている。つまり、上記基台（61，71）は、縦仕切部材（64，74）と横仕切部材（65，75）とによって長方形の四角格子構造に形成され、空気通路（66，76）を形成する多数の筒状部が形成されている。
【００４３】
上記空気通路（66，76）は、上記吸込口（21，22）から吹出口（23）に向かうケーシング（20）内の空気流れに沿った方向に延びる通路に構成されている。つまり、上記空気通路（66，76）は、ケーシング（20）内の流通路（24）と平行な通路となり、空気の流通抵抗が小さい構造になっている。
【００４４】
上記集塵電極（60）と高圧電極（70）の縦仕切部材（64，74）は、上記集塵電極（60）の基台（61）と高圧電極（70）の基台（71）とを固定した組み立て状態において、同一平面上に位置するように形成されている。また、上記集塵電極（60）と高圧電極（70）の横仕切部材（65，75）は、上記集塵電極（60）の基台（61）と高圧電極（70）の基台（71）とを固定した組み立て状態において、図７及び図８の上下方向に、千鳥状に位置するように形成されている。つまり、上記集塵電極（60）の横仕切部材（65）は、高圧電極（70）の空気通路（76）の中央部に位置し、上記高圧電極（70）の横仕切部材（75）は、集塵電極（60）の空気通路（66）の中央部に位置している。
【００４５】
一方、上記突起（62，72）は、横仕切部材（65，75）に一体形成されて該横仕切部材（65，75）より突出している。該突起（62，72）は、横仕切部材（65，75）と同一厚さの平板状の突出片に形成され、相対する電極（50，40）の空気通路（66，76）の内部に延びている。そして、上記突起（62，72）の横方向の隙間には、相対する電極（70，60）の縦仕切部材（74，64）が位置するように上記突起（62，72）が形成されている。
【００４６】
上記突起（62，72）は、上記集塵電極（60）の基台（61）と高圧電極（70）の基台（71）とを固定した組み立て状態において、空気通路（76，66）の内部中央に位置し、突起（62，72）の上方と下方とを空気が流れることになる。そして、上記集塵電極（60）の突起（62）と高圧電極（70）の突起（72）とは、相互の間隔が１．０mm〜２．０mmとなるように形成されている。例えば、上記相互の間隔は１．２mmが好ましい。
【００４７】
尚、上記集塵電極（60）と高圧電極（70）の縦仕切部材（64，74）は、上記集塵電極（60）の基台（61）と高圧電極（70）の基台（71）とを固定した組み立て状態において、互いに接触することなく所定の間隔を存して位置している。
【００４８】
つまり、上記集塵電極（60）の突起（62）は、高圧電極（70）の縦仕切部材（74）と横仕切部材（75）とによって囲まれ、突起（62）の周囲と縦仕切部材（74）及び横仕切部材（75）との距離が等しく、空気通路（76）の横断面において電界を放射状に形成する。また、上記高圧電極（70）の突起（72）は、集塵電極（60）の縦仕切部材（64）と横仕切部材（65）とによって囲まれ、突起（62）の周囲と縦仕切部材（64）及び横仕切部材（65）との距離が等しく、空気通路（66）の横断面において電界を放射状に形成する。
【００４９】
また、上記集塵電極（60）と高圧電極（70）との間には直流電圧が印加されて集塵電極（60）と高圧電極（70）とより電界を生起させ、帯電した塵埃を集塵電極（60）に吸着させている。
【００５０】
上記脱臭ユニット（50）は、集塵ユニット（40）の下流側に該集塵ユニット（40）から送風ファン（30）に亘って設置されている。つまり、上記脱臭ユニット（50）は、集塵ユニット（40）の背面の吹出口（23）から送風ファン（30）の下面の吸込口に亘って設けられている。そして、上記脱臭ユニット（50）は、放電部（51）と触媒フィルタ（52）とが空気の上流側から下流側に向かって順に配置されて低流通抵抗の脱臭手段を構成している。
【００５１】
上記放電部（51）は、図示しないが、放電電極と対向電極とを有し、放電電極が対向電極の間に配置されている。上記対向電極は、例えば、線状ないし棒状の電極で構成され、対向電極と実質的に平行になるように配置されている。つまり、上記放電部（51）における放電電極と対向電極との間は、上記吸込口（21，22）から吹出口（23）に向かうケーシング（20）内の空気流れに沿った方向に延びる空気通路に構成されている。つまり、上記放電電極と対向電極との間は、ケーシング（20）内の流通路（24）と平行な空気通路となり、空気の流通抵抗が小さい構造になっている。
【００５２】
上記放電部（51）は、ストリーマ放電を生起するように構成されている。上記放電部（51）がストリーマ放電を生じすると、低温プラズマが発生する。この低温プラズマには反応性の高い物質（電子、イオン、オゾン、ラジカルなどの活性種）が含まれているので、低温プラズマ中の反応性の高い物質が空気中の有害物質を含む臭気物質の分解して除去する。
【００５３】
上記触媒フィルタ（52）は、放電部（51）の下流側であって、且つ送風ファン（30）の下面吸込口に隣接して配置されている。上記触媒フィルタ（52）は、図９に示すように、基材（53）の表面に触媒を担持したものである。上記基材（53）は、矩形状の枠材（54）の内部に多数の仕切材（55）が縦横に形成されたモノリス構造に構成され、枠材（54）の内部には、仕切材（55）によって多数の空気通路（56）が形成されている。該空気通路（56）は、上記吸込口（21，22）から吹出口（23）に向かうケーシング（20）内の空気流れに沿った方向に延びる通路に構成されている。つまり、上記空気通路（56）は、ケーシング（20）内の流通路（24）と平行な通路となり、空気の流通抵抗が小さい構造になっている。
【００５４】
上記触媒には、マンガン系触媒や貴金属系触媒など、放電によって生成される低温プラズマ中の反応性の高い物質をさらに活性化し、吸込空気中の臭気物質の分解除去を促進するものが用いられる。
【００５５】
一方、上記室内には、圧力センサ（80）が設置されている。該圧力センサ（80）は室内の圧力を検出し、検出圧力をコントローラ（81）に送信している。該コントローラ（81）は、室内が陽圧になるように送風ファン（30）の風量を制御している。
【００５６】
−運転動作−
次に、上述した換気装置（10）の換気動作について説明する。
【００５７】
先ず、上記送風ファン（30）の送風ファン（30）を駆動すると、室外空気が吸込口（21）よりケーシング（20）内に吸い込まれると共に、室内空気が吸込口（22）よりケーシング（20）内に吸い込まれる。このケーシング（20）に吸い込まれた室外空気及び室内空気はチャンバ（25）で集合されて混合され、この室外空気及び室内空気が混合された吸込空気は集塵ユニット（40）に流れる。
【００５８】
上記集塵ユニット（40）は、荷電部（42）の放電電極（44）と対向電極（45）と間には直流電圧が印加される一方、集塵部（43）の集塵電極（60）と高圧電極（70）との間に直流電圧が印加されている。
【００５９】
上記吸込空気は、上記プレフィルタ（41）を通り、吸込空気に含まれる比較的大きな塵埃が捕集される。上記プレフィルタ（41）を通過した吸込空気は荷電部（42）に流れる。この荷電部（42）において、上記プレフィルタ（41）を通過した比較的小さな塵埃が帯電され、例えば、塵埃が正極に帯電し、この帯電した塵埃が下流側に流れる。
【００６０】
帯電した塵埃は集塵部（43）に流れ、集塵電極（60）と高圧電極（70）における基台（61，71）の空気通路（66，76）を流れる。つまり、集塵電極（60）と高圧電極（70）の基台（61，71）における枠体（63，73）と縦仕切部材（64，74）と横仕切部材（65，75）とで形成される空気通路（66，76）を室内空気が流れ、集塵電極（60）と高圧電極（70）の突起（62，72）の周囲を室内空気が流れる。
【００６１】
その際、集塵電極（60）は、例えば、アース電極になって負極に設定されているので、正極に帯電した塵埃が集塵電極（60）に吸着する。つまり、上記塵埃は、集塵電極（60）における枠体（63）の内表面、縦仕切部材（64）の表面、横仕切部材（65）の表面及び突起（62）の表面に吸着する。
【００６２】
一方、上記脱臭ユニット（50）では、放電部（51）においてストリーマ放電により低温プラズマが発生している。上記集塵ユニット（40）を流れた吸込空気は、脱臭ユニット（50）に流れ、ストリーマ放電中を流れる。上記低温プラズマには反応性の高い物質（電子、イオン、オゾン、ラジカルなどの活性種）が含まれているので、反応性の高い物質によって吸込空気中の有害物質を含む臭気物質が除去される。その後、上記吸込空気は、触媒フィルタ（52）に流れる。上記反応性の高い物質は、触媒フィルタ（52）に達すると、さらに活性化して吸込空気中の臭気物質を分解して除去する。
【００６３】
上記塵埃が除去されると共に有害物質や臭気物質も除去された清浄な処理空気は、送風ファン（30）を流れ、吹出口（23）から室内へ吹き出される。
【００６４】
−実施形態１の効果−
以上のように、本実施形態１によれば、ケーシング（20）内に電気式の集塵ユニット（40）と低流通抵抗の脱臭ユニット（50）とを設けるようにしたために、空気の流通抵抗が小さいので、圧力損失を大幅に低減することができる。この結果、小容量の送風ファン（30）を用いることができ、装置全体の小型化を図ることができる。
【００６５】
特に、上記ケーシング（20）を室内の天井裏に設置する換気装置（10）、つまり、所謂天井据置型の換気装置（10）においては、室外空気等を取り入れるダクト及び処理空気を室内に供給するためのダクトを接続する必要があり、ダクトによる空気の流通抵抗が大きくなる。したがって、ケーシング（20）内の空気の流通抵抗を小さくすることによって、ダクトを含めたシステム全体の圧力損失を低減することができる。
【００６６】
その上、上記集塵ユニット（40）は電気式で構成され、荷電部（42）及び集塵部（43）がそれぞれ２つの電極で構成されるので、吸込口（21，22）から空気吹出口（23）に向かうケーシング（20）内の空気流れに沿った空気通路で構成される。この結果、上記集塵ユニット（40）は空気の流通抵抗を小さくすることができるので、圧力損失を低減することができる。
【００６７】
特に、上記集塵部（43）は、格子構造に構成されているので、塵埃の捕集面積を拡大しつつ吸込口（21，22）から空気吹出口（23）に向かうケーシング（20）内の空気流れに沿った空気通路（66，76）で構成することができる。この結果、上記集塵ユニット（40）は空気の流通抵抗を小さくすることができるので、圧力損失を低減することができる。
【００６８】
また、上記脱臭ユニット（50）の放電部（51）は２つの電極で構成されると共に、上記脱臭ユニット（50）の触媒フィルタ（52）はモノリス構造に構成されているので、吸込口（21，22）から空気吹出口（23）に向かうケーシング（20）内の空気流れに沿った空気通路（56）で構成される。この結果、上記脱臭ユニット（50）は空気の流通抵抗を小さくすることができる。したがって、上記脱臭ユニット（50）の全体が低圧力損失の構成となり、装置全体が小型化を図ることができる。
【００６９】
また、室外空気と室内空気の双方を取り入れるので、室外空気のみを取り入れる場合に比して熱の有効利用を図ることができる。
【００７０】
また、上記ケーシング（20）を室内に設置するので、建物の壁には室外空気を取り入れる開口を１つ形成するのみとすることができる。
【００７１】
〈発明の実施形態２〉
次に、本発明の実施形態２を図面に基づいて詳細に説明する。
【００７２】
本実施形態２は、図１０及び図１１に示すように、実施形態１が集塵ユニット（40）における荷電部（42）の放電電極（44）をイオン化線で構成したのに代えて、鋸歯電極に形成したものである。
【００７３】
具体的に、上記放電電極（44）は、電極棒（46）と該電極棒（46）に形成された針部材（47）とを備えている。該電極棒（46）は、左右の両端部に亘って設けられている。上記針部材（47）は、対向電極（45）に向かって突出して複数形成されている。つまり、上記針部材（47）は、上方及び下方に向かって突出している。したがって、上記針部材（47）から対向電極（45）に向かって放電される。その他の構成、作用及び効果は実施形態１と同様である。
【００７４】
〈発明の実施形態３〉
次に、本発明の実施形態３を図面に基づいて詳細に説明する。
【００７５】
本実施形態２は、図１２に示すように、実施形態１が集塵ユニット（40）における集塵部（43）の集塵電極（60）と高圧電極（70）の双方を導電性樹脂で形成したのに代え、集塵電極（60）を導電性金属で形成したものである。
【００７６】
つまり、上記集塵電極（60）は、ステンレスなどの板金により形成される一方、上記高圧電極（70）は、実施形態１と同様に導電性樹脂により形成されている。
【００７７】
上記集塵電極（60）は、実施形態１と同様に、矩形状に形成され、１つの基台（61）と、多数の突起（62）とを備え、上記基台（61）は、枠体（63）と複数の縦仕切部材（64）及び複数の横仕切部材（65）とを備えている。そして、上記突起（62）、枠体（63）、縦仕切部材（64）及び横仕切部材（65）がそれぞれ導電性金属の板金で形成されている。
【００７８】
また、上記集塵電極（60）の突起（62）は、実施形態１と同様に高圧電極（70）の空気通路（76）の内部に延び、上記高圧電極（70）の突起（72）は、実施形態１と同様に集塵電極（60）の空気通路（66）の内部に延びている。
【００７９】
したがって、本実施形態によれば、集塵電極（60）を導電性金属で形成したために、樹脂に比して板厚を薄くすることができるので、集積効率を向上させることができると共に、装置全体の小型化を図ることができる。その他の構成、作用及び効果は実施形態１と同様である。
【００８０】
尚、本実施形態は、集塵電極（60）を導電性金属で形成し、高圧電極（70）を導電性樹脂で形成したが、集塵電極（60）を導電性樹脂で形成し、高圧電極（70）を導電性金属で形成するようにしてもよい。
【００８１】
〈その他の実施形態〉
本発明は、上記実施形態１について、以下のような構成としてもよい。
【００８２】
上記各実施形態において、上記脱臭ユニット（50）の触媒フィルタ（52）はモノリス構造に構成している。しかしながら、上記触媒フィルタ（52）はハニカム構造の他、コルゲート構造に構成してもよい。要するに、上記触媒フィルタ（52）は、吸込口（21，22）から空気吹出口（23）に向かうケーシング（20）内の空気流れに沿った空気通路が構成されるものであればよい。
【００８３】
また、上記脱臭ユニット（50）は、放電部（51）と触媒フィルタ（52）とを備えている。しかしながら、上記脱臭ユニット（50）は放電部（51）のみを備えてものでよい。つまり、放電部（51）において臭気物質の分解まで行うように構成してもよい。また、上記脱臭ユニット（50）は触媒フィルタ（52）のみを備えてものでよい。つまり、触媒フィルタ（52）は活性炭などを設けたもので、触媒フィルタ（52）において臭気物質の分解まで行うように構成してもよい。
【００８４】
また、上記脱臭ユニット（50）の放電部（51）は、ストリーマ放電に限られず、パルス放電などの各種の放電形態を採用してもよい。
【００８５】
尚、以上の実施形態は、本質的に好ましい例示であって、本発明、その適用物、あるいはその用途の範囲を制限することを意図するものではない。
【産業上の利用可能性】
【００８６】
以上説明したように、本発明は、集塵及び脱臭を行う換気装置について有用である。
【図面の簡単な説明】
【００８７】
【図１】図１は、本発明の実施形態１の換気装置の全体構成を示す側面断面図である。
【図２】図２は、実施形態１の換気装置の平面断面図である。
【図３】図３は、実施形態１の集塵ユニットを示す斜視図である。
【図４】図４は、実施形態１の集塵ユニットの荷電部を示す正面図である。
【図５】図５は、実施形態１の集塵ユニットの荷電部を示し、側板を省略した側面図である。
【図６】図６は、実施形態１の集塵部を示す斜視図である。
【図７】図７は、実施形態１の集塵部の一部を拡大して示す斜視図である。
【図８】図８は、実施形態１の集塵部の一部を拡大して示す断面側面図である。
【図９】図９は、実施形態１の脱臭ユニットの触媒フィルタを示す斜視図である。
【図１０】図１０は、本発明の実施形態２の集塵ユニットの荷電部を示す正面図である。
【図１１】図１１は、実施形態２の集塵ユニットの荷電部を示し、側板を省略した側面図である。
【図１２】図１２は、本発明の実施形態３の集塵部の一部を拡大して示す断面側面図である。
【符号の説明】
【００８８】
１０        換気装置
２０        ケーシング
３０        送風ファン
４０        集塵ユニット（集塵手段）
４２        荷電部
４３        集塵部
５０        脱臭ユニット（脱臭手段）
５１        放電部
５２        触媒フィルタ
５６        空気通路
６０        集塵電極
７０        高圧電極
６１，７１  基台
６２，７２  突起
６６，７６  空気通路
【図１】
2010007871.tif 000003
【図２】
2010007871.tif 000004
【図３】
2010007871.tif 000005
【図４】
2010007871.tif 000006
【図５】
2010007871.tif 000007
【図６】
2010007871.tif 000008
【図７】
2010007871.tif 000009
【図８】
2010007871.tif 000010
【図９】
2010007871.tif 000011
【図１０】
2010007871.tif 000012
【図１１】
2010007871.tif 000013
【図１２】
2010007871.tif 000014